(57)【特許請求の範囲】
【請求項１】
腰当ベルト帯と、腰当ベルト帯の外側表面に重ねあわせて、身体装着機構を付設した装着ベルト帯と、両側方が腰当ベルト帯から離れる形状で、中央部分上縁で腰当ベルト帯の中央下縁と連結した下方ベルト帯とで構成される作業用ベルトであって、腰当ベルト帯が保形性、柔軟性及び通気性を備え、中央部が幅広で左右を徐々に細幅に形成すると共に、身体装着時に腰椎の左右上下に当接して押圧する４個の第一突出部と、前記第一突出部の側方適宜間隔の離れた箇所を押圧する側方突出部とを設け、下方ベルト帯が両端に身体装着用の連結部を備えると共に、第一突出部に連なる第二突出部を設けてなることを特徴とする作業用ベルト。
【請求項２】
腰当ベルト帯の中央部の上縁及び下縁、及び下方ベルト帯の中央の上縁及び下縁で縫合した台形状連結帯部で、各別に形成した腰当ベルト帯と下方ベルト帯とを連結してなる請求項１記載の作業用ベルト。
【請求項３】
台形状連結帯部の左右に、第一突出部に連なる第二突出部を設けてなる請求項２記載の作業用ベルト。
【請求項４】
第一突出部、第二突出部及び側方突出部を、硬質クッション板材を心材として、カバー布で被覆して各ベルト帯に装着してなると共に、第一突出部及び第二突出部の芯材が縦長３５〜４０ｍｍ、横幅６０〜７０ｍｍで厚さ１５ｍｍ程度とし、上方第一突出部の芯材の左右間隔が８５〜９５ｍｍ、下方第一突出部の芯材の左右間隔が１２０〜１３０ｍｍとし、且つ上下方第一突出部の間隙を３０〜３５ｍｍとしてなる請求項３記載の作業用ベルト。
【発明の詳細な説明】
【技術分野】
【０００１】
本発明は、主として各種工具類や部品資材を吊下げ携帯しての作業に適する作業用ベルトに関するものである。
【背景技術】
【０００２】
作業用ベルトは、幅広の腰当ベルトに身体に装着するための装着ベルトを重ねあわせて、身体に対する装着ベルトの締付を緩和する構造が知られており、特に幅広の腰当ベルトは通気性とクッション性を備えるために網状布や多孔性部材を積層して形成している（特許文献１）。
【０００３】
また重い工具類を腰から吊り下げることで着用者に肉体的負担を強いることを軽減するために、着用者の健康維持を目的として突起部（クッションパット）をベルトに設けると共に、クッションパットに磁石要素を付設している作業用ベルトが知られている（特許文献２）。
【先行技術文献】
【特許文献】
【０００４】
【特許文献１】実用新案登録第３１５２３１８号公報。
【特許文献２】特開２００７−７８３５号公報。
【発明の概要】
【発明が解決しようとする課題】
【０００５】
重い工具類を腰に吊下げて作業する際には腰に大きな負担が加わると共に、身体を支えるために筋肉に対して不均衡な力が加わり腰痛の原因になることは広く知られているが、本発明は、特定の身体の部位を刺激することで、筋力を活性化させ、ベルト着用者の肉体的負担を軽減する作業用ベルトを提案したものである。
【課題を解決するための手段】
【０００６】
本発明に係る作業用ベルトは、腰当ベルト帯と、腰当ベルト帯の外側表面に重ねあわせて、身体装着機構を付設した装着ベルト帯と、両側方が腰当ベルト帯から離れる形状で、中央部分上縁で腰当ベルト帯の中央下縁と連結した下方ベルト帯とで構成される作業用ベルトであって、腰当ベルト帯が保形性、柔軟性及び通気性を備え、中央部が幅広で左右を徐々に細幅に形成すると共に、身体装着時に腰椎の左右上下に当接して押圧する４個の第一突出部と、前記第一突出部の側方適宜間隔の離れた箇所を押圧する側方突出部とを設け、下方ベルト帯が両端に身体装着用の連結部を備えると共に、第一突出部に連なる第二突出部を設けてなることを特徴とするものである。
【０００７】
而して前記作業用ベルトは、腰当ベルト帯を身体の後方から前方に巻きつけて、装着ベルト帯で身体に腰当ベルト帯を装着し、更に下方ベルト帯の端部を身体前方に回し、装着ベルトの下方位置で緊締装着して身体に装着する。また工具類は、装着ベルトに吊下げたり、腰当ベルトに取り付けた吊下げリング等に吊下げて携帯する。
【０００８】
特に本発明の作業用ベルトは、身体に緊締装着すると身体の所定位置を各突出部が応圧するもので、上方第一突出部が、胸最長筋、多裂筋、回旋筋等の筋尾筋近位を応圧し、下方第一突出部が大腰筋、腰方形筋、腰腸肋筋等の筋尾近位を応圧し、側方突出部が殿筋、大、中、小、大腿膜張筋等の筋起始近位を応圧し、第二突出部が内腹斜筋、腹横筋の筋尾近位を応圧し、更に前記下方ベルト帯で、骨盤腸骨左右上辺部で胴当ベルト帯を支持する役割も担うものである。
【発明の効果】
【０００９】
本発明の構成は上記のとおりで、筋肉の収縮に対して、その筋肉へ外圧を加えることによって弛緩する性質、反対に関節をまたいで収縮する一方の筋が筋収縮緊張する性質或いは近隣して拮抗する筋肉が収縮緊張する性質、主動筋と拮抗筋共に外圧を加えると共収縮するという筋肉の原理（筋共収縮）に着目して、作業ベルト装着時に身体の所定位置を応圧して身体動作に対し適応的な筋肉の緊張あるいは弛緩を強制的外圧効果によって引き起こし、人間が本来筋肉が持ち得る関節の可動域を拡張させ、更に人体の姿勢に関わる筋、あるいは動作に関わる筋の強化を行って、筋力の増強、身体疲労の軽減、腰痛や背痛、ケガの予防、作業性の向上を実現したものである。
【図面の簡単な説明】
【００１０】
【図１】本発明の実施形態の正面図（身体に当接する側）。
【図２】同背面図。
【図３】同要部裁断面。
【図４】同使用状態図。
【図５】実施形態の作業用ベルトの装着前と装着後の体幹可動域の計測結果表。
【図６】同筋力の計測結果表。
【発明を実施するための形態】
【００１１】
次に本発明の実施形態について説明する。実施形態に示した作業用ベルトは、腰当ベルト帯１と、装着ベルト帯２と、下方ベルト帯３で構成される。腰当ベルト帯１は、中央部分が幅広（１６ｃｍ程度）で左右を徐々に細幅（１０ｃｍ程度）とし、全長約７０ｃｍとしたもので、全体が適度の保形性、柔軟性及び通気性を備え、表面帆布１１、ゴム質網板１２、毛羽立網布１３を積層し、更に所定位置に上下方の第一突出部１４，１５と側方突出部１６とを設け、これを縁取１７で一体にしているものであり、更に裏面（身体装着時の身体側）の中央に台形状連結帯部１８を縫着し、表目にベルト通し部１９を設けたものである。
【００１２】
特に第一突出部１４，１５と側方突出部１６は、硬質クッション板材を心材として、カバー布で被覆して各ベルト帯に装着してなるもので、第一突出部１４，１５の芯材は、縦長３７ｍｍ（３５〜４０ｍｍ）、横幅６５ｍｍ（６０〜７０ｍｍ）で、厚さ１５ｍｍ程度とし、その配置は、上方第一突出部１４の芯材の左右間隔が８５〜９５ｍｍとし、下方第一突出部１５の芯材の左右間隔が１２０〜１３０ｍｍとし、且つ上方第一突出部１４と下方第一突出部の間隙を３０〜３５ｍｍとしたものである。
【００１３】
また側方突出１６の芯材は、５５×５５ｍｍ程度で、その中央側の端がベルト中央から２４〜２５ｃｍの位置に設けたものである。また装着ベルト帯２は、ベルト通し部１９を通して腰当ベルト帯１に装着し、両端に身体装着機構（ベルト連結部）を設けたものである。
【００１４】
下方ベルト帯３は、全体の形状が腰当ベルト帯１とは平行とはならずに、両側方が腰当ベルト帯１から離れる縦幅７５ｍｍの細帯形状で、腰当ベルト帯１の中央部の上縁及び下縁、及び下方ベルト帯３の中央の上縁及び下縁で縫合した台形状連結帯部１８で、中央部分のみを腰当ベルト帯１に連結し、両端に身体装着用の連結部（面ファスナー）３１ａ，３１ｂを設けたものである。
【００１５】
また前記した第一突出部１４，１５と同様に心材をカバー布で被覆して装着した第二突出部３２を設けているもので、第二突出部３２は、第一突出部１４，１５に連なる位置で、心材の左右間隔が１２ｃｍ程度である。
【００１６】
而して前記作業用ベルトは、腰当ベルト帯１を従前の腰当ベルトと同様に作業者Ａの身体に装着し、更に下方ベルト帯３を以て装着するもので、工具差し等の工具吊下げ用部材を適宜に装着ベルト帯２に吊下げたり、腰当ベルト帯１に取り付けた吊下げリング等に吊下げて携帯する。
【００１７】
特に前記の作業用ベルトは、身体に緊締装着すると上方第一突出部１４、下方第一突出部１５、側方突出部１６及び、第二突出部３２がそれぞれ身体の所定位置を圧して、作業者の所定の筋肉に適度の刺激を与え、身体能力を高めると共に、作業者の身体的負担感を和らげるものである。
【００１８】
具体的には２０〜６０代の３８人で、作業用ベルトの装着前後の体力測定で対比した。例えば体幹可動域（肢体の前屈距離）は、図５に示すとおりすべての面で数値の上昇が認められた。
【００１９】
また高さ７０ｃｍ上にある重量物から３０ｃｍ離れ、膝を伸展させ、重量物を鉛直上に持ち上げ可能な重量を計測した結果（背筋群の筋力測定結果：表１）、仰臥して足首を固定し、重量物を胸部に持ち、腹筋可能な重量を計測した結果（腹筋群の筋力測定結果：表２）、足指を背屈し、足趾起部に重量物を縄掛けし、任意の片足で、膝を屈曲させて持ち上げ可能な重量を計測した結果（足趾筋群の筋力測定結果：表３）、直立し、任意の片腕で肘伸展し、高さ８５ｃｍにある重量物を３０ｃｍ離れた地点で、片手での持ち上げ可能な重量を計測した結果（手腕筋群の筋力測定結果：表４）が得られた。
【００２０】
このように本発明の作業用ベルトの装着によって、身体能力が高められ、結果的に工具類の携帯時の身体負担が軽減されるものである。
【符号の説明】
【００２１】
１      腰当ベルト帯
１１    表面帆布
１２    ゴム質網板
１３    毛羽立網布
１４    上方第一突出部
１５    下方第一突出部
１６    側方突出部
１７    縁取
１８    台形状連結帯部
１９    ベルト通し部
２      装着ベルト帯
３      下方ベルト帯
３１ａ，３１ｂ    連結部（面ファスナー）
３２    第二突出部
【要約】
【課題】  身体の特定の部位を刺激することで、筋力を活性化させてベルト着用者の肉体的負担を軽減する作業用ベルトを提供する。
【解決手段】  腰当ベルト帯１と、装着ベルト帯２と、中央部分上縁で腰当ベルト帯の中央下縁と連結した下方ベルト帯３とで構成され、腰当ベルト帯１が保形性、柔軟性及び通気性を備え、中央部が幅広で左右を徐々に細幅に形成すると共に、身体装着時に腰椎の左右上下に当接して押圧する４個の第一突出部１４，１５と、第一突出部の側方適宜間隔の離れた箇所を押圧する側方突出部１６とを設け、下方ベルト帯３が両端に身体装着用の連結部を設けると共に、第一突出部に連なる第二突出部３２を設けてなる。
【選択図】図１【図１】
0005642897.tif 000002
【図２】
0005642897.tif 000003
【図３】
0005642897.tif 000004
【図４】
0005642897.tif 000005
【図５】
0005642897.tif 000006
【図６】
0005642897.tif 000007